(57)【要約】      （修正有）【課題】多角形巻軸の設計を以て、スクリーン取付の位置合わせが行えるようにし、組立時に人により形成される偏移状況を防止出来るようにした竹製又は木製ロールスクリーン装置の提供。【解決手段】框体１０の一側端に伝動セット２０が設けられ、框体の範囲内に向けて伝動軸が延伸され、巻軸３０の一端が伝動軸の外周に嵌合され、別端に位置決めセット４０が組付けられて框体の別側と嵌合され、スクリーン５０が、巻軸外周の所定位置に固定され、巻軸が多角形外周の中空管体とされ、該位置決めセットが外環スリーブを具え、その小外径部分に少なくとも一つの係止部が設けられて巻軸の内周或いは多角形内周のそのうちの一辺に嵌合され、多角形の発生する稜線を利用し、スクリーン取り付けの正確な位置決め、平坦な巻き取り、ひっかかりの防止、伝動の効果アップ、快速な組立、分解が行なえる。【選択図】図１
0003110393.tif 000002
【実用新案登録請求の範囲】
【請求項１】
框体、巻軸、スクリーンを具え、該框体の一側端に伝動セットが設けられ、該伝動セットより該框体の範囲内に向けて伝動軸が延伸され、巻軸の一端が伝動軸の外周に嵌合され、別端に位置決めセットが組付けられて框体の別側と嵌合され、スクリーンが、該巻軸外周の所定位置に固定された竹製又は木製ロールスクリーン装置において、
該巻軸が多角形外周の中空管体とされ、該伝動軸の外周に少なくとも一つの嵌部が設けられ、巻軸の内周のそのうちの一辺に嵌合され、該位置決めセットが外環スリーブを具え、該外環スリーブが階状管状を呈し、並びにその小外径部分の外周に少なくとも一つの係止部が設けられて巻軸の内周或いはその内周に設けられた嵌溝或いは多角形内周のそのうちの一辺に嵌合され、
多角形の発生する稜線を利用し、スクリーン取り付けの正確な位置決め、平坦な巻き取り、ひっかかりの防止、伝動の効果が高められることを特徴とする、竹製又は木製ロールスクリーン装置。
【請求項２】
請求項１記載の竹製又は木製ロールスクリーン装置において、伝動セットのカバー内に軸方向に順に軸座、ビーズチェーンシート、伝動軸及びビーズチェーンが設けられ、該ビーズチェーンシートの周囲に環状配列されたチェーン溝が設けられてビーズチェーンの繞設に供され、該ビーズチェーンシートが軸座の外周に嵌合され、該伝動軸が軸座前方に設けられ並びに框体内に向けて所定長さ延伸され、ビーズチェーンが引き動かされる時、該ビーズチェーンシートが軸座、巻軸及び伝動軸を駆動して回転し、該巻軸の外周に多角形輪郭によ形成された複数の稜線があり、該スクリーンが複数の編成片体を直列に接続してなり、且つ各編成片体の間に折線が設けられ、該折線が該稜線に当接することを特徴とする、竹製又は木製ロールスクリーン装置。
【請求項３】
請求項２記載の竹製又は木製ロールスクリーン装置において、ビーズチェーンのビーズチェーンシートの両側より垂れ下がった所定の部分にストッパスリーブが設けられ、該ストッパスリーブが各ビーズチェーンシートとカバー内側の間に係止されてビーズチェーンシートの継続回転を制限することを特徴とする、竹製又は木製ロールスクリーン装置。
【請求項４】
請求項１記載の竹製又は木製ロールスクリーン装置において、各嵌部と係止部がそれぞれ二つの所定距離の凸縁状とされ、その二つの凸縁の幅が円形内周或いはその内周に設けられた嵌溝巻軸或いは多角形を呈する巻軸内周の任意の一辺に嵌合することを特徴とする、竹製又は木製ロールスクリーン装置。
【請求項５】
請求項１又は請求項４記載の竹製又は木製ロールスクリーン装置において、巻軸の内周、外周が六角形を呈し、嵌部及び位置決めセットの係止部は対称方式で伝動軸の外周に設けられ、並びに各嵌部が巻軸内周の相互に対称な２辺に嵌め込まれることを特徴とする、竹製又は木製ロールスクリーン装置。
【請求項６】
請求項３記載の竹製又は木製ロールスクリーン装置において、ストッパスリーブがクローズリング状を呈し、その一側に貫通溝が設けられ、該貫通溝の上下端がビーズチェーンの直列線の通過に供され、該貫通溝の中間に穿孔が設けられ、該穿孔がビーズチェーンが貫通する大外径を提供することを特徴とする、竹製又は木製ロールスクリーン装置。
【考案の詳細な説明】
【技術分野】
【０００１】
本考案は一種のスクリーンの構造に係り、特に、巻取り可能でスクリーンの垂れ下がりの長さを調整できる構造に係り、特に、取り付けが簡単で、スクリーン取り付けが正確に行なえ、平らに巻き取ることができ、その伝動の効果が増された竹製又は木製ロールスクリーン装置に関する。
【背景技術】
【０００２】
現代人はインテリアをますます重視するようになっており、窓用スクリーンはインテリア、光線の制御、プライバシー保護及び住まいの雰囲気を調和させる作用を有し、また、スクリーンは外界の騒音を遮断し、室内の音声が外に伝わるのを防止し、夏には室外の熱気が伝わるのを防止し、冬には室内温度を保持し、エネルギー資源を節約する機能を有する。ゆえに適合するスクリーンを選択することはインテリアに不可欠の一環となっている。
【０００３】
窓用スクリーンの種類は非常に多く、その形式により、両開きのカーテン、ローマンシェード、ブラインド、縦型ブラインド、ロールスクリーン等があり、スクリーンは形式により異なる框とスクリーン構造及び材料を使用し、異なる効果を発生する。そのうち、ロールスクリーンは軸棒の回転を利用してそれに固定されたスクリーンを巻き取ることができ、その垂れ下がりの長さを上下に調整でき、スクリーン材料の選択により、室内に現代的で、簡潔な装飾効果を具備させることができる。
【０００４】
一般に使用されるスクリーン材料は、繊維布、遮光布、麻織布、木、竹、及びプラスチックがあり、編成法も撚織法及び平織法があり、更に使用者の要求に応じた長さ、幅、色及びパターンに生産される。浴室や湿気が高い場所での使用には防水性が高いスクリーン材料が使用され、また、光線、熱エネルギーの遮断効果の高い材料は、遮光、紫外線防止、さらには断熱の目的、及び家具、絨毯の色褪せ防止の目的に使用される。また特殊機能例えば防火機能を有する材料が防火機能を具備するスクリーンに使用される。
【０００５】
周知のロールスクリーン構造は、図８、９に示されるように、フレーム８０を具え、該フレーム８０の範囲内に、スクリーン８１を具えた巻筒８２が設けられ、該巻筒８２の外周に軸方向に貫通する凹溝８２１が設けられ、並びに巻筒８２内壁に所定幅の凸部８２２が形成されている。スクリーンの制動構造８３は、順に巻筒８２の一端に組付けられたエンドキャップ８３１、チェーンシート８３２、スリーブ８３３、及びチェーンシート８３２の周囲に環状に配列されてビーズチェーン８３５が周囲に繞設されるチェーン溝８３４が設けられている。該スリーブ８３３に所定距離離間された二つの凸縁８３６が設けられ、二つの凸縁８３６の間に凸部８２２が嵌合される。該巻筒８２の別端にボルト８４１を具えた固定スリーブ８４で該フレーム８０に挿入された後、ナット８４２で固定される。該固定スリーブ８４は所定距離離れた二つの凸縁８４３で該凸部８２２と相互に嵌合される。該ビーズチェーン８４１が引き動かされる時、チェーンシート８３２によりスリーブ８３３、巻筒８２及びナット８４１が共に回転し、これによりスクリーン８１の巻取りの機能が達成される。
【考案の開示】
【考案が解決しようとする課題】
【０００６】
しかし、この構造は円柱状の巻筒８２外周とスクリーン８１が固定されるため、人の視力の誤差により組立時に巻筒８２とスクリーン８１の両者間の平行度に偏差が発生し、巻き取られるスクリーンの高さが不一致となり美観に影響が生じることがよくある。また、スクリーン８１の巻取りが整わずに制動構造８３がひっかかりの情況を発生する。さらにネジが組み合わされた固定方式は往々にしてネジを回すのに時間と力が必要で、使用上、相当に不便である。更に、巻筒８２がスリーブ８３３と固定スリーブ８４に組付けられる際に、凸部８２２が凸縁８３６の間に嵌入される時、子細に位置を合わせなければならず、組立上、相当に不便である。
【０００７】
本考案の主要な目的は、一種の竹製又は木製ロールスクリーン装置を提供することにあり、それは、多角形巻軸の設計を以て、スクリーン取り付けの位置合わせが行なえるようにし、組立時に人により形成される偏移情況を防止できるようにしたものとする。
【０００８】
本考案の次の目的は、一種の竹製又は木製ロールスクリーン装置を提供することにあり、それは、スクリーン巻取り時に整った状態で巻き取ることができ、巻き取られたスクリーンの高さの不一致によるひっかかりの情況が発生しないようにしたものとする。
【０００９】
本考案の更なる目的は、一種の竹製又は木製ロールスクリーン装置を提供することにあり、それは、速やかに組立、分解が行なえる機能を具備するものとする。
【課題を解決するための手段】
【００１０】
請求項１の考案は、框体、巻軸、スクリーンを具え、該框体の一側端に伝動セットが設けられ、該伝動セットより該框体の範囲内に向けて伝動軸が延伸され、巻軸の一端が伝動軸の外周に嵌合され、別端に位置決めセットが組付けられて框体の別側と嵌合され、スクリーンが、該巻軸外周の所定位置に固定された竹製又は木製ロールスクリーン装置において、
該巻軸が多角形外周の中空管体とされ、該伝動軸の外周に少なくとも一つの嵌部が設けられ、巻軸の内周のそのうちの一辺に嵌合され、該位置決めセットが外環スリーブを具え、該外環スリーブが階状管状を呈し、並びにその小外径部分の外周に少なくとも一つの係止部が設けられて巻軸の内周或いはその内周に設けられた嵌溝或いは多角形内周のそのうちの一辺に嵌合され、
多角形の発生する稜線を利用し、スクリーン取り付けの正確な位置決め、平坦な巻き取り、ひっかかりの防止、伝動の効果が高められることを特徴とする、竹製又は木製ロールスクリーン装置としている。
請求項２の考案は、請求項１記載の竹製又は木製ロールスクリーン装置において、伝動セットのカバー内に軸方向に順に軸座、ビーズチェーンシート、伝動軸及びビーズチェーンが設けられ、該ビーズチェーンシートの周囲に環状配列されたチェーン溝が設けられてビーズチェーンの繞設に供され、該ビーズチェーンシートが軸座の外周に嵌合され、該伝動軸が軸座前方に設けられ並びに框体内に向けて所定長さ延伸され、ビーズチェーンが引き動かされる時、該ビーズチェーンシートが軸座、巻軸及び伝動軸を駆動して回転し、該巻軸の外周に多角形輪郭によ形成された複数の稜線があり、該スクリーンが複数の編成片体を直列に接続してなり、且つ各編成片体の間に折線が設けられ、該折線が該稜線に当接することを特徴とする、竹製又は木製ロールスクリーン装置としている。
請求項３の考案は、請求項２記載の竹製又は木製ロールスクリーン装置において、ビーズチェーンのビーズチェーンシートの両側より垂れ下がった所定の部分にストッパスリーブが設けられ、該ストッパスリーブが各ビーズチェーンシートとカバー内側の間に係止されてビーズチェーンシートの継続回転を制限することを特徴とする、竹製又は木製ロールスクリーン装置としている。
請求項４の考案は、請求項１記載の竹製又は木製ロールスクリーン装置において、各嵌部と係止部がそれぞれ二つの所定距離の凸縁状とされ、その二つの凸縁の幅が円形内周或いはその内周に設けられた嵌溝巻軸或いは多角形を呈する巻軸内周の任意の一辺に嵌合することを特徴とする、竹製又は木製ロールスクリーン装置としている。
請求項５の考案は、請求項１又は請求項４記載の竹製又は木製ロールスクリーン装置において、巻軸の内周、外周が六角形を呈し、嵌部及び位置決めセットの係止部は対称方式で伝動軸の外周に設けられ、並びに各嵌部が巻軸内周の相互に対称な２辺に嵌め込まれることを特徴とする、竹製又は木製ロールスクリーン装置としている。
請求項６の考案は、請求項３記載の竹製又は木製ロールスクリーン装置において、ストッパスリーブがクローズリング状を呈し、その一側に貫通溝が設けられ、該貫通溝の上下端がビーズチェーンの直列線の通過に供され、該貫通溝の中間に穿孔が設けられ、該穿孔がビーズチェーンが貫通する大外径を提供することを特徴とする、竹製又は木製ロールスクリーン装置としている。
【考案の効果】
【００１１】
本考案は一種の竹製又は木製ロールスクリーン装置を提供する。それは、框体、巻軸、スクリーンを具え、該框体の一側端に伝動セットが設けられ、該伝動セットより該框体の範囲内に向けて伝動軸が延伸され、巻軸の一端が伝動軸の外周に嵌合され、別端に位置決めセットが組付けられて框体の別側と嵌合され、スクリーンが、該巻軸外周の所定位置に固定された竹製又は木製ロールスクリーン装置において、該巻軸が多角形外周の中空管体とされ、該伝動軸の外周に少なくとも一つの嵌部が設けられ、巻軸の内周或いは多角形内周のそのうちの一辺に嵌合され、該位置決めセットが外環スリーブを具え、その小外径部分に少なくとも一つの係止部が設けられて巻軸の内周或いは多角形内周のそのうちの一辺に嵌合され、多角形の発生する稜線を利用し、スクリーン取り付けの正確な位置決め、平坦な巻き取り、ひっかかりの防止、伝動の効果アップ、快速な組立、分解が行なえることを特徴とするものとされる。
【考案を実施するための最良の形態】
【００１２】
図１から図５は本考案の竹製又は木製ロールスクリーン装置を示し、それは、框体１０、及び框体内に設けられた伝動セット２０、巻軸３０、位置決めセット４０、及びスクリーン５０を具えている。
【００１３】
該伝動セット２０はカバー２１を具え、並びに該カバー２１により框体１０の一側に設けられる。該カバー２１内に軸方向に軸座２２、ビーズチェーンシート２３、伝動軸２４及びビーズチェーン２５が順に取り付けられる。該ビーズチェーン２５の周囲に環状配列されたチェーン溝が設けられ、該ビーズチェーン２５の繞設に供される。該ビーズチェーンシート２３は該軸座２２の外周に嵌合される。該伝動軸２４は該軸座２２の前方に設けられ並びに該框体１０内部に向けて所定長さ延伸されている。二つの嵌部２４１が対称な方式で該伝動軸２４の外周に設けられ、それは所定長さの凸縁状を呈する。
【００１４】
該巻軸３０は、六角形の内周、外周を具えた中空管体とされ、それは多角の稜線３１を具え、並びにその一端が伝動軸２４の外周に嵌合され、各嵌部２４１が該巻軸３０に設けられた円形内周或いは嵌溝内周或いは多角形内周の相互に対称な２辺に嵌合される。
【００１５】
該位置決めセット４０は、巻軸３０の別端に設けられ、並びに框体１０の別側と相互に嵌合される。該位置決めセット４０は外環スリーブ４１を具え、並びに該外環スリーブ４１の内部に軸方向に順に係止ボタン４２、弾性部品４３、及び固定スリーブ４４が取り付けられる。該係止ボタン４２は該外環スリーブ４１内で軸方向移動可能とされる。該弾性部品４３は係止ボタン４２及び固定スリーブ４４の間に設けられ、該係止ボタン４２に該外環スリーブ４１の挿設部分に向けての圧接力を提供する。二つの係止部４１１が対称方式で外環スリーブ４１の外周に設けられ、それぞれ二つの凸縁状を呈し、両者の幅は円形内周或いは円形内周に設けられた嵌溝或いは多角形の巻軸内周のその一つの辺長に合わされ、並びに各係止部４１１が巻軸３０の円形内周或いは所定の嵌溝内周或いは六角形の内周のそのうちの相互に対称な２辺に嵌合される。
【００１６】
該スクリーン５０は、該巻軸３０外周の所定部分に固定され、該スクリーン５０は複数の編成片体５１が直列に接続されてなり、並びに各編成片体５１の間に折線５２が設けられている。該スクリーン５０が巻軸３０に固定される時、該折線５２が該巻軸３０の該稜線３１上に圧接される。その折線５２と巻軸３０の稜線３１の係止状態は図３に示されるとおりである。
【００１７】
二つのストッパスリーブ６０がビーズチェーン２５のビーズチェーンシート２３の両側より垂れ下がった部分の所定位置に設けられ、それは各ビーズチェーンシート２３とカバー２１内側の間に係止可能で、該ビーズチェーンシート２３の続けての継続回転を制限する。該ストッパスリーブ６０はクローズリング体とされ、その一側に貫通溝６１が設けられ、該貫通溝６１の上下の当接縁がビーズチェーン２５の接続線の貫通に供される。該貫通溝６１の中間に穿孔６２が設けられ、該ビーズチェーン２５がそのうちの大外径部分を貫通可能である。
【００１８】
本考案は組立時に、まず巻軸３０の一端が位置決めセット４０と嵌合方式で接続され、この時、相互に対称な各係止部４１１が該巻軸３０の円形内周或いは嵌溝内周或いは多角形内周のそのうちの相互に対称な２辺に嵌合される。更に巻軸３０の別端が伝動軸２４と嵌合方式で伝動軸２４と接続され、この時、相互に対称な各嵌部２４１が該巻軸３０の円形内周或いは嵌溝内周或いは六角形内周のそのうちの相互に対称な２辺に嵌入される。最後に該係止ボタン４２が押圧されて巻軸３０が順調に框体１０の両側距離範囲内に侵入し並びに框体１０の位置決め孔１１の位置に合わされ、圧力釈放後、該係止ボタン４２が弾性圧接力によりその自然状態に回復し、この時、該係止ボタン４２が位置決め孔１１に通されて組立が完成する。
【００１９】
該スクリーン５０を巻き取る時は、図６から図７に示されるように、ビーズチェーン２５が引き動かされると、ビーズチェーンシート２３が各伝動軸２４、巻軸３０及び位置決めセット４０を駆動して一緒に回転させ、これによりスクリーン５０の巻取りの機能が達成される。各ストッパスリーブ６０をビーズチェーン２５上で任意の位置に調整して、ストッパスリーブ６０がビーズチェーンシート２３とカバー２１内縁の間に係止されることにより、該ビーズチェーンシート２３の継続回転が制限され、この時、該スクリーン５０が半巻取りの垂れ下がった状態を呈する。
【００２０】
本考案の巻軸は布製ロールスクリーンにも適用可能で、角部がスクリーンの位置決め制御を行ないやすい。総合すると本考案の提供する竹製又は木製ロールスクリーン装置はその構造上、及び使用上、以下のような特徴と長所を有している。
１．本考案は構造上、巻軸３０が六角形中空横軸設計とされ、周知の伝統的な円形中空巻筒８２と較べると、荷重抵抗が１．３倍以上とされ、ゆえに本考案の中空巻軸３０構造により形成されたロールスクリーンは周知の円管製の巻軸スクリーン製品に較べて荷重による凹みや湾曲の情況を発生しにくく、且つ外観上も明らかな流線造形である。
２．本考案は巻軸３０の外周が多角形とされて稜線３１を発生し、スクリーン５０を該折線５２を基準に取り付けることができ、組立時の人が形成する偏移を減らすことができ、スクリーン５０の垂れ下がりの長さが不一致となる情況を防止できる。
３．巻軸３０の多角形設計によりスクリーン５０を巻き取る時、平らに巻き取ることができ、スクリーン５０の巻取り高さに違いが出て回転が不順調となる情況の発生を防止できる。
４．該位置決めセット４０の設計は、簡単な係止ボタン４２押圧の動作で該位置決め孔１１に係止でき、組立を完成でき、これにより急速組立と分解の機能を具備する。
５．巻軸３０の円形或いは多角形の内周設計に、各嵌部２４１及び係止部４１１の緊密な接触或いは嵌合が組み合わされ、急速組立、分解を達成できるほか、比較的大きな接触面積により各部品間の動力伝送の効果が高められている。
【図面の簡単な説明】
【００２１】
【図１】本考案の好ましい実施例の立体組合せ図である。
【図２】本考案の好ましい実施例の立体分解図である。
【図３】本考案の巻軸稜線がスクリーン折線係止に供される表示図である。
【図４】本考案の実施例の組立動作図である。
【図５】本考案の実施例の組立動作図である。
【図６】本考案の実施例のストッパスリーブ巻取り状態図である。
【図７】本考案の実施例のストッパスリーブ巻取り状態図である。
【図８】周知の構造の立体分解図である。
【図９】周知の構造の局部断面図である。
【符号の説明】
【００２２】
１０  框体                    ８０  フレーム
１１  位置決め孔              ８１  スクリーン
２０  伝動セット              ８２  巻筒
２１  カバー                  ８２１  凹溝
２２  軸座                    ８２２  凸部
２３  ビーズチェーンシート    ８３  制動構造
２４  伝動軸                  ８３１  エンドキャップ
２４１  嵌部                  ８３２  チェーンシート
２５  ビーズチェーン          ８３３  スリーブ
３０  巻軸                    ８３４  チェーン溝
４０  位置決めセット          ８３５  ビーズチェーン
４１  外環スリーブ            ８３６、８４３  凸縁
４１１  係止部                ８４  固定スリーブ
４２  係止ボタン              ８４１  ボルト
４３  弾性部品                ８４２  ナット
４４  固定スリーブ
５０  スクリーン
５１  編成片体
５２  折線
６０  ストッパスリーブ
６１  貫通溝
６２  穿孔
【図１】
0003110393.tif 000003
【図２】
0003110393.tif 000004
【図３】
0003110393.tif 000005
【図４】
0003110393.tif 000006
【図５】
0003110393.tif 000007
【図６】
0003110393.tif 000008
【図７】
0003110393.tif 000009
【図８】
0003110393.tif 000010
【図９】
0003110393.tif 000011